(57)【特許請求の範囲】
【請求項１】
かごを昇降させるエレベータ装置であって、
前記かご内の所定位置には、情報を表示するための表示装置が設けられており、
前記表示装置は、
前記かごの壁部に取り付けられる保持具と、
表示面がかご内を向くようにして前記保持具に取り付けられる表示器と、
前記表示器の前記表示面を覆うようにして前記保持具に取り付けられ、少なくとも前記表示面に対応する部分が可視光に対して透明になっている保護板とを備え、
前記保護板の外縁部には、少なくとも一つのフランジ部が設けられており、
前記保持具には、前記フランジ部に対応するツメ部が設けられており、
前記フランジ部に前記ツメ部を係合させることで、前記保護板を前記保持具に着脱可能に取り付けられるようになっており、
前記保護板の外縁部のうち前記フランジ部が設けられる所定領域には、前記フランジ部及び前記ツメ部の外部からの視認を防止するための目隠し部が形成されており、
前記目隠し部は、前記保護板の外壁部のうち少なくとも前記所定領域に対応する外壁部分に設けられるテーパ面として形成されており、前記目隠し部は、前記保護板の裏面側を映し出すことで前記フランジ部及び前記ツメ部を隠すようになっている、
エレベータ装置。
【請求項２】
前記フランジ部は、前記保護板の外縁部のうち上下両端に設けられており、
前記保持具には、前記各フランジ部に対応するツメ部が上下両端に設けられている、
請求項１に記載のエレベータ装置。
【請求項３】
前記目隠し部は、上下に設けられる前記フランジ部及び前記ツメ部に対応するテーパ面として設けられており、前記テーパ面のテーパ角度は同一角度に設定されている、
請求項２に記載のエレベータ装置。
【請求項４】
前記保護板は、前記表示面に対応する部分が透明に形成されており、前記表示面に対応する部分以外の部分に所定の印刷が施される、
請求項３に記載のエレベータ装置。
【請求項５】
エレベータのかご内に設けられるエレベータかご用表示装置であって、
前記かごの壁部に取り付けられる保持具と、
表示面がかご内を向くようにして前記保持具に取り付けられる表示器と、
前記表示器の前記表示面を覆うようにして前記保持具に取り付けられ、少なくとも前記表示面に対応する部分が可視光に対して透明になっている保護板とを備え、
前記保護板の外縁部には、少なくとも一つのフランジ部が設けられており、
前記保持具には、前記フランジ部に対応するツメ部が設けられており、
前記フランジ部に前記ツメ部を係合させることで、前記保護板を前記保持具に着脱可能に取り付けられるようになっており、
前記保護板の外縁部のうち前記フランジ部が設けられる所定領域には、前記フランジ部及び前記ツメ部の外部からの視認を防止するための目隠し部が形成されており、
前記目隠し部は、前記保護板の外壁部のうち少なくとも前記所定領域に対応する外壁部分に設けられるテーパ面として形成されており、前記目隠し部は、前記保護板の裏面側を映し出すことで前記フランジ部及び前記ツメ部を隠すようになっている、
エレベータかご用表示装置。
【発明の詳細な説明】
【技術分野】
【０００１】
本発明は、エレベータ装置及びエレベータかご用表示装置
【背景技術】
【０００２】
エレベータかごには、かごの現在位置などを表示するための表示装置が設けられる。一般的に、エレベータかご用表示装置は、利用者の視認性を高める観点から、かご内の比較的高い場所に設置される。
【０００３】
図４及び図５を参照して従来技術によるエレベータかご用表示装置を説明する。図４は、従来のエレベータかご用表示装置の側面図を示す。図５は、従来の化粧パネルの背面図を示す。
【０００４】
保持具１１０は、かごの前側板へ固定される。保持具１１０に表示器１２０を機械的に締結することで、落下を防止し、かつ、表示器１２０の高所設置を可能としている。一方、かご用表示装置７０の表面には、デザイン性が求められる傾向がある。そのため、樹脂板から製作される化粧パネル１００で表示器１２０の表面側を覆う必要がある。意匠効果のために、保持具１１０と別に形成される化粧パネル１００で表示器１２０を覆う必要があり、保持具１１０と化粧パネル１００とを一体形成することができない。
【０００５】
化粧パネル１００としては、一般的に、無色透明の樹脂板の裏面を指定色で印刷したものが使用される。全面化粧パネルとする場合は、意匠性を低下させないために、化粧パネル１００の裏面の周囲に両面テープ１４０または接着剤（不図示）を設けて、化粧パネル１００を保持具１１０に固定する。従って、経年劣化により、両面テープ１４０または接着剤の接着効果が薄れた場合に、化粧パネル１００の一部または全部が保持具１１０から外れる可能性があった。
【０００６】
このような問題を解決するために、化粧パネルの上部に設けた貫通穴にフック状の保持具を挿入して機械的に締結する構成も提案されている（特許文献１）。他の従来技術として、表示器を収容するボックスにツメ及びレンズ押さえを設け、ボックスにレンズを機械的に固定する構成も提案されている（特許文献２）。
【先行技術文献】
【特許文献】
【０００７】
【特許文献１】特開２００８−６８９３２号公報
【特許文献２】特開２０１１−１８４１８４号公報
【発明の概要】
【発明が解決しようとする課題】
【０００８】
特許文献１に記載のものは、化粧パネルが外れないように機械的に締結する構造を採用しているが、透明な化粧パネルを用いる場合は、フック等の保持具が乗客から見えてしまい、意匠性が低下する。さらに、フック等を貫通穴に挿通して取り付けるのでは、作業性が悪い。
【０００９】
特許文献２の構成も、組み立て作業の効率が低く、かつ、意匠効果を損なうおそれが高いという問題を有する。
【００１０】
本発明は上記課題に鑑みてなされたもので、その目的は、保護板が保持具から外れるのを防止して意匠効果を維持することができ、かつ、組立作業の効率を改善することができるようにしたエレベータ装置及びエレベータかご用表示装置を提供することにある。
【課題を解決するための手段】
【００１１】
上記課題を解決すべく、本発明に従うエレベータ装置は、かごを昇降させるエレベータ装置であって、かご内の所定位置には、情報を表示するための表示装置が設けられており、表示装置は、かごの壁部に取り付けられる保持具と、表示面がかご内を向くようにして保持具に取り付けられる表示器と、表示器の表示面を覆うようにして保持具に取り付けられ、少なくとも表示面に対応する部分が可視光に対して透明になっている保護板とを備え、保護板の外縁部には、少なくとも一つのフランジ部が設けられており、保持具には、フランジ部に対応するツメ部が設けられており、フランジ部にツメ部を係合させることで、保護板を保持具に着脱可能に取り付けられるようになっており、保護板の外縁部のうちフランジ部が設けられる所定領域には、フランジ部及びツメ部の外部からの視認を防止するための目隠し部が形成されている。
【図面の簡単な説明】
【００１２】
【図１】かご用表示装置の断面図。
【図２】乗客の視線とかご用表示装置の関係を示す断面図。
【図３】かご内から見た正面図。
【図４】従来技術によるかご用表示装置の断面図。
【図５】化粧パネルの裏面図。
【発明を実施するための形態】
【００１３】
以下、図面に基づいて、本発明の実施の形態を説明する。詳細は後述するように、本実施形態のエレベータ装置は、エレベータの前側板５へ固定するための保持具１１と、保持具１１に設けられ、エレベータの階床表示及び運転方向等の各種情報表示を行う表示器１２と、保持具１１に設けられ、無色透明で裏面に指定色を印刷し、保持具１１の意匠性を向上させる化粧パネル１０とを備える。そして、本実施形態では、保持具１１の上下に設けたツメ１１ａ、１１ｂにより化粧パネル１０の上下に設けたフランジ１０ａ、１０ｂをロックすることで、化粧パネル１０を保持具１１に機械的に締結する。
【００１４】
さらに、本実施形態では、化粧パネル１０の上下両端には、同一方向にテーパ面１０ｃ、１０ｄを形成している。それらテーパ面１０ｃ、１０ｄに、化粧パネル１０の裏面１０ｅに施した印刷を写り込ませることで、フランジ１０ａ及びツメ１１ａを乗客から見えないように隠すことができる。
【００１５】
本実施形態によれば、裏面に指定色が印刷された透明な化粧パネルを用いた場合でも、化粧パネルが保持具から外れるのを抑制することができ、意匠性が低下するのを防止して、作業効率を高めることができる。
【実施例１】
【００１６】
以下、本発明の実施の形態に係るエレベータ装置を説明する。図１は本実施形態によるエレベータかご用表示装置の側面図、図２は本実施形態によるかご用表示装置を利用者が見上げた際の状態図、図３は本実施形態によるエレベータかご用表示装置を適用したかごの概略図である。
【００１７】
先に図３を参照する。図３において、エレベータの乗りかご１は、例えば、左右に開閉するエレベータドア２と、かご床３と、天枠４と、前側板５及び側面側板６とから構成される。さらに、前側板５には、エレベータの階床表示及び運転方向等の各種情報を表示させるかご用表示装置７と、行先階登録ボタン及びドア開閉操作を行う操作ボタン９等を備えたかご内操作盤８とが組み込まれている。
【００１８】
図１を参照して、かご用表示装置７の構成を説明する。かご用表示装置７は、意匠面を担う化粧パネル１０と、乗りかごの階床表示及び運転方向等を行う表示器１２と、化粧パネル１０及び表示器１２を固定するための保持具１１とから構成される。化粧パネル１０は「保護板」の一例である。かご用表示装置７は、保持具１１により前側板５に着脱可能に固定される。
【００１９】
表示器１２は、例えば、液晶ディスプレイ、プラズマディスプレイ、発光ダイオードを複数用いたディスプレイのように構成される。表示器１２は、保持具１１の裏面に設けたツメまたはネジ（いずれも不図示）により、保持具１１に固定される。
【００２０】
正面視矩形状の化粧パネル１０は、透明な樹脂板から所定の厚みを有する平板状に形成されている。化粧パネル１０の上下の外縁部には、薄肉状のフランジフランジ１０ａ、１０ｂが一体形成されている。このフランジ１０ａ、１０Ｂの外側から覆うようにして、保持具１１の意匠面側（表面側）に設けたツメ１１ａ、１１ｂを嵌めることにより、化粧パネル１０を保持具１１に機械的に固定する。さらに、念のために、化粧パネル１０の裏面外周側に両面テープを設ければ、化粧パネル１０のずれ（特に左右方向のずれ）を抑制できる。
【００２１】
ここで、化粧パネル１０は無色透明な樹脂材料等から矩形の平板状に形成されており、化粧パネル１０の裏面のうち、表示器１２の表示面以外の部分には、指定色の印刷が施されている。
【００２２】
従って、透明な化粧パネル１０を透過して、フランジ１０ａ、１０ｂ及び保持具１１のツメ１１ａ、１１ｂが乗客から見えてしまう可能性がある。そこで、本実施形態では、図１，図２に示すように、保護板１０の上下の所定の外壁部に「目隠し部」の一例としてのテーパ１０ｃ、１０ｄを一体形成している。
【００２３】
化粧パネル１０の上端の高さ寸法Ｌ１は、床面３から２０００ｍｍ程度である。従って、極めて身長の高い一部の例外を除き、殆ど多くの乗客は、化粧パネル１０の上端側を見上げることになる。
【００２４】
そこで、上側のテーパ１０ｃのテーパ角度θａは、乗客が表示装置７を見上げた場合に、テーパ１０ｃに保護板１０の裏面１０ｅの印刷面が反射して映り込み、上部のフランジ１０ａ及び上部のツメ１１ａが乗客から見えないように、設定される。
【００２５】
即ち、乗客の化粧パネル１０上部への視線１３ａでは、化粧パネル１０の裏面１０ｅに印刷された色彩等が映るため、乗客からは上部のフランジ１０ａ及び上部のツメ１１ａは全く見えないか、または見えにくくなる。
【００２６】
化粧パネル１０の下端の高さ寸法Ｌ２は、例えば、床面３から１７５０ｍｍ程度に設定されているため、一部の例外を除き、多くの乗客にとって、化粧パネル１０の下側を上から見下ろすのは難しい。従って、乗客の化粧パネル１０下部への視線１３ｂは、下部のフランジ１０ｂ及び下部のツメ１１ｂに届かない。
【００２７】
なお、万が一、極めて身長の高い乗客が化粧パネル１０下部を上から見下ろした場合でも、下部のテーパ１０ｄには化粧パネル１０の裏面１０ｅの印刷面が反射して映りこむため、乗客には、下部のフランジ１０ｂ及び下部のツメ１１ｂは全く見えないか、または見えにくくなる。
【００２８】
下側のテーパ１０ｄのテーパ角度θａは、上側のテーパ１０ｃのテーパ角度θｂと同一に設定することができる。なお、乗客の視線からフランジ及びツメを隠せるのであれば、上部テーパ角度θａと下部テーパ角度θｂとを違えてもよい。
【００２９】
なお、各テーパ１０ｃ、１０ｄに化粧パネル１０の裏面１０ｅの印刷面がよく映るように、各テーパ１０ｃ、１０ｄの可視光線に対する反射率を高めるのが好ましい。反射率を高めるために、例えば、テーパ１０ｃ、１０ｄを磨き仕上げとする。
【００３０】
このように構成される本実施形態によれば、化粧パネル１０に形成したフランジ１０ａ、１０ｂを保持具１１に形成したツメ１１ａ、１１ｂで押さえることで、化粧パネル１０を保持具１１に機械的に固定することができる。従って、接着剤の経年劣化により化粧パネル１０が保持具１１から外れたり、ずれたりするのを抑制できる。
【００３１】
さらに、本実施形態では、フランジ１０ａ、１０ｂをツメ１１ａ、１１ｂで押さえるだけで化粧パネル１０を保持具１１に取り付けることができるため、組み立て作業の効率を高めることができる。
【００３２】
さらに、本実施形態では、化粧パネル１０の外壁部にテーパ１０ｃ、１０ｄを形成し、フランジ１０ａ、１０ｂ及びツメ１１ａ、１１ｂを乗客の視線から隠すため、透明な化粧パネル１０を用いた場合でも意匠性が低下しない。
【００３３】
このように、本実施例では、化粧パネル１０を高い信頼性をもって保持具１１に固定することができると共に、作業効率の向上及び意匠効果の維持という矛盾した要請を技術的に解決することができる。
【００３４】
なお、本発明は、上述した実施形態に限定されない。当業者であれば、本発明の範囲内で、種々の追加や変更等を行うことができる。
【符号の説明】
【００３５】
１：エレベータかご、７：かご用表示装置、１０：化粧パネル、１０ａ、１０ｂ：フランジ、１０ｃ、１０ｄ：テーパ、１１：保持具、１２：表示器
【図１】
0005767127.tif 000002
【図２】
0005767127.tif 000003
【図３】
0005767127.tif 000004
【図４】
0005767127.tif 000005
【図５】
0005767127.tif 000006